(57)【要約】【課題】光源の光を有効活用しつつコストをかけずに、投影画像の色を調整してばらつきを抑えることが可能な投影装置を提供する。【解決手段】カラーホイール１１の円周部にラックギヤ２０を設け、ステッピングモータ１４の回転軸１４ａにピニオンギヤ２１を設け、両ギヤ２０、２１が噛み合うようにステッピングモータ１４を配置し、ステッピングモータ１４の駆動力を両ギヤ２０、２１によりカラーホイール１１の円周部に伝達して、カラーホイール１１を回転させる。スクリーンに投影する画像の色の調整値が入力されると、該色の調整値に基づいてランプ１０からの光をカラーホイール１１の各カラーフィルタで各色光に分離するときのカラーホイール１１の回転速度を各色別にそれぞれ設定し、該設定した回転速度でカラーホイール１１が回転するようにステッピングモータ１４の駆動を制御する。【選択図】図３
2007248754.tif 000002
【特許請求の範囲】
【請求項１】
複数の色のカラーフィルタが放射状に配列され、回転して光源からの光を各カラーフィルタへ通過させて複数の色光に分離するカラーホイールと、カラーホイールで分離された各色光を反射して画像を形成するＤＭＤ（Digital Micromirror Device）とを備え、ＤＭＤで形成された画像をスクリーンに投影する投影装置において、
前記カラーホイールの円周部に沿って設けられた第１のギヤと、
前記カラーホイールを回転させるために駆動するステッピングモータと、
前記ステッピングモータの回転軸に連結された第２のギヤと、
投影する画像の色の調整値を入力する入力手段と、
前記ステッピングモータの駆動を制御する制御手段と、を備え、
前記第１および第２のギヤが噛み合うように前記ステッピングモータを配置し、ステッピングモータの駆動力を両ギヤにより前記カラーホイールに伝達して、カラーホイールを回転させ、
前記入力手段により前記色の調整値が入力されると、前記制御手段は、該調整値に基づいて光源からの光を前記各カラーフィルタへ通過させるときの時間をそれぞれ設定し、該設定した各時間に基づいて前記カラーホイールの回転速度を各色別にそれぞれ設定して、該設定した回転速度で前記カラーホイールが回転するように前記ステッピングモータの駆動を制御することを特徴とする投影装置。
【請求項２】
回転して光源からの光を複数の色光に分離する分離手段と、分離手段で分離された各色光を反射して画像を形成する画像形成手段とを備え、画像形成手段で形成された画像をスクリーンに投影する投影装置において、
前記分離手段を回転させるために駆動する駆動手段と、
前記駆動手段の駆動力を前記分離手段の円周部に伝達して分離手段を回転させる伝達手段と、
投影する画像の色の調整値を入力する入力手段と、
前記入力手段により入力された前記色の調整値に基づいて、光源からの光を前記分離手段で各色光に分離するときの分離手段の回転速度を各色別にそれぞれ設定し、該設定した回転速度で分離手段が回転するように前記駆動手段の駆動を制御する制御手段と、を備えたことを特徴とする投影装置。
【発明の詳細な説明】
【技術分野】
【０００１】
本発明は、プロジェクタ等の投影装置に関し、特にスクリーンへ投影する画像の各色を調整することに関するものである。
【背景技術】
【０００２】
大画面表示が可能な装置として、近年プロジェクタやリアプロジェクションテレビ等の投影装置が普及している。投影装置は、外部から入力された映像信号に基づいて、光源から発せられた光を処理してレンズで投影することにより、スクリーンに画像を任意の大きさで表示する。
【０００３】
例えば、ＤＬＰ（Digital Light Processing）方式を採用したプロジェクタには、カラーホイールとＤＭＤ（Digital Micromirror Device）が設けられている。カラーホイールは、複数の色のカラーフィルタが放射状に配列された透明の円板であって、モータの駆動力により一定速度で回転して、光源から発せられた白色光をカラーフィルタのいずれかを透過させて複数の色に分離する。ＤＭＤは、半導体メモリ上に数十万個の微小なマイクロミラーが集積された素子であって、メモリセルが割り当てられた個々のマイクロミラーにより画素が構成される。マイクロミラーは、２方向に傾動することができる構造になっていて、メモリ値に応じて静電吸引力によりいずれかの方向に傾動し、傾動方向によってＯＮ／ＯＦＦの２値の状態をとる。カラーホイールにより分離された各色光は、ＤＭＤのマイクロミラーに照射される。このとき、マイクロミラーがＯＮ状態にあるときは、該ミラーで反射された光がレンズに取り込まれてスクリーンに投射され、ＯＦＦ状態にあるときは、該ミラーで反射された光がレンズに取り込まれずスクリーンに投射されない。つまり、入力された映像信号等に基づいて、個々のマイクロミラーの動作状態をＯＮ／ＯＦＦに制御することにより、ＤＭＤに画像を形成して、該画像をレンズで拡大してスクリーンに投影して表示する。
【０００４】
カラーホイールをモータの駆動力により回転させるため、モータの回転軸をカラーホイールの中心に連結することが一般的に行われている。しかしこのようにすると、各カラーフィルタへ通過させた光をモータで遮らないように、カラーホイールの径を大きくしなければならず、装置の大型化を招いていた。これに対して、下記の特許文献１には、モータをカラーホイールの中心からずれた位置に配置し、カラーホイールの円周部とモータの回転軸にギヤとピニオンまたはプーリとベルトから構成された駆動力伝達装置を配置し、該駆動力伝達装置でモータの駆動力をカラーホイールの円周部に伝達して、カラーホイールを回転させることにより、カラーホイールとモータの大きさを小さくして、プロジェクタの大型化を抑制することが開示されている。また、特許文献１には、モータの回転軸に歯数が異なる２つのピニオンを連結し、該ピニオンのいずれかとカラーホイールの円周部のギヤとを噛み合わせることにより、カラーホイールの回転速度を予め決められた複数の回転速度に切り替え可能にして、使用目的に応じてプロジェクタの特性を容易に最適化することも開示されている。なお、特性の最適化については、具体的な説明は無く、どういう状態か不明である。
【０００５】
従来のプロジェクタでは、一般的に、レンズからの投影画像の輝度を高く確保することが優先され、投影画像の色はプロジェクタ毎にばらついている。このプロジェクタ毎の投影画像の色（色温度）のばらつきは、光源毎に発する光の色がばらついていることや、カラーホイールの各カラーフィルタの色（色温度と色むら）がばらついていること等が原因であり、人間の目で見ても気が付く程度である。このため、プロジェクタ毎の投影画像の色のばらつきを抑えるため、投影画像の色を調整することが必要になっている。また、プロジェクタの使用目的や周囲の明るさや色に応じて、投影画像の色を調整することも必要になっている。これに対して、従来はカラーホイールからＤＭＤに照射された各色光をマイクロミラーでレンズへまたはレンズ外へ反射するタイミングを制御することにより、投影画像の色を調整している。また、下記の特許文献２には、カラーホイールを径方向に移動させて、光源からの光がカラーホイールに入射する位置を変えることにより、投影画像の色を調整することが開示されている。
【０００６】
【特許文献１】特開２００５−２０８２３０号公報
【特許文献２】特開２００３−３０７７０５号公報
【発明の開示】
【発明が解決しようとする課題】
【０００７】
しかし、投影画像の色を調整するため、従来のようにＤＭＤに照射された各色光をマイクロミラーで反射するタイミングを制御すると、画像の形成以外に色光をレンズへ反射させないタイミングが存在して、光源からの光を無駄に損失してしまう。また、特許文献２のようにカラーホイールを径方向に移動させて光源の光のカラーホイールへの入射位置を変えると、カラーホイールに入射されずＤＭＤに照射されない光量が増えて、光源の光を無駄に損失してしまう。また、特許文献２では、カラーホイールが一定速度で回転すると、各カラーフィルタや光源の特性のばらつきによる、装置毎の投影画像の色のばらつきを抑えることができない。さらに、特許文献２では、カラーホイールを回転させるモータに加えて、カラーホイールを径方向に移動させる移動機構やリニアモータ等を設けなければならず、コストがかかってしまう。一方、特許文献１には、カラーホイールの回転構造が開示されているが、投影画像の色調整に関する記載は一切無い。
【０００８】
本発明は、上記問題点を解決するものであって、その課題とするところは、光源の光を有効活用しつつコストをかけずに、投影画像の色を調整してばらつきを抑えることが可能な投影装置を提供することにある。
【課題を解決するための手段】
【０００９】
本発明は、光源からの光を複数の色光に分離する分離手段と、分離手段で分離された各色光を反射して画像を形成する画像形成手段とを備え、画像形成手段で形成された画像をスクリーンに投影する投影装置において、分離手段を回転させるために駆動する駆動手段と、駆動手段の駆動力を分離手段の円周部に伝達して分離手段を回転させる伝達手段と、投影する画像の色の調整値を入力する入力手段と、入力手段により入力された色の調整値に基づいて、光源からの光を分離手段で各色光に分離するときの分離手段の回転速度を各色別にそれぞれ設定し、該設定した回転速度で分離手段が回転するように駆動手段の駆動を制御する制御手段とを備える。
【００１０】
このようにすると、入力された色の調整値に基づいて分離手段の回転速度を各色別に変化させることにより、分離手段から画像形成手段へ入射する各色光の光量が調節されるので、分離手段や画像形成手段へ入射されない光量が少なくなり、分離手段を回転させる駆動手段以外の移動機構や駆動源を設ける必要がなく、光源の光を有効活用しつつコストをかけずに、投影画像の色を調整することができる。しかも、伝達手段により駆動手段の駆動力を分離手段の円周部に伝達して分離手段を回転させるので、分離手段の回転速度を各色別に微細かつ容易に変化させて、投影画像の色を微調整することができる。また、トルクの小さな駆動手段と径の小さな分離手段を用いて、コストを一層削減することができる。よって、光源や分離手段の特性のばらつきによる、投影装置毎の投影画像の色のばらつきを確実に抑えることが可能となる。また、投影装置の使用目的や周囲の明るさや色に応じて、投影画像の色を微調整することも可能となる。
【００１１】
また、本発明の典型的な実施形態では、複数の色のカラーフィルタが放射状に配列され、光源からの光を各カラーフィルタへ通過させて複数の色光に分離するカラーホイールと、カラーホイールで分離された各色光を反射して画像を形成するＤＭＤ（Digital Micromirror Device）とを備え、ＤＭＤで形成された画像をスクリーンに投影する投影装置において、カラーホイールの円周部に設けられた第１のギヤと、カラーホイールを回転させるために駆動するステッピングモータと、ステッピングモータの回転軸に連結された第２のギヤと、投影する画像の色の調整値を入力する入力手段と、ステッピングモータの駆動を制御する制御手段とを備える。そして、第１および第２のギヤが噛み合うようにステッピングモータを配置し、ステッピングモータの駆動力を両ギヤによりカラーホイールに伝達して、カラーホイールを回転させ、入力手段により色の調整値が入力されると、制御手段は、該調整値に基づいて光源からの光を各カラーフィルタへ通過させるときの時間をそれぞれ設定し、該設定した各時間に基づいてカラーホイールの回転速度を各色別にそれぞれ設定して、該設定した回転速度でカラーホイールが回転するようにステッピングモータの駆動を制御する。
【００１２】
このようにすると、入力された色の調整値に基づいてカラーホイールの回転速度を各色別に変化させることにより、カラーホイールからＤＭＤへ入射する各色光の光量が調節されるので、カラーホイールやＤＭＤへ入射されない光量が少なくなり、カラーホイールを回転させるステッピングモータ以外の移動機構や駆動源を設ける必要がなく、光源の光を有効活用しつつコストをかけずに、投影画像の色を調整することができる。しかも、第１および第２のギヤによりステッピングモータの駆動力をカラーホイールの円周部に伝達して、カラーホイールを回転させるので、カラーホイールの回転速度を各色別に微細かつ容易に変化させて、投影画像の色を微調整することができる。また、フィードバック制御のような複雑な制御を行う必要の無いトルクの小さなステッピングモータと、径の小さなカラーホイールを用いて、コストを一層削減することができる。よって、光源やカラーホイールの各カラーフィルタの特性のばらつきによる、投影装置毎の投影画像の色のばらつきを確実に抑えることが可能となる。また、投影装置の使用目的や周囲の明るさや色に応じて、投影画像の色を微調整することも可能となる。さらに、カラーホイールの回転速度を各色別に変化させて、投影画像の色を調整するので、例えば白を強調したいビジネス向けのタイプや、白を抑えて赤を鮮明にしたい一般家庭向けのタイプ等のように投影装置のタイプ（機種）が異なっても、同一仕様のカラーホイール等を用いて、部品の共通化を図り、コストを一層削減することができる。
【発明の効果】
【００１３】
本発明によれば、光源の光を有効活用しつつコストをかけずに、投影画像の色を微細に調整することができ、光源や分離手段の特性のばらつきによる、投影装置毎の投影画像の色のばらつきを確実に抑えることが可能となり、また使用目的や周囲の明るさや色に応じて、投影画像の色を微調整することも可能となる。
【発明を実施するための最良の形態】
【００１４】
以下、本発明の実施形態につき図面を参照して説明する。図１は、本発明の実施形態に係る投影装置の一例であるプロジェクタ１の外観図である。２はプロジェクタ１の本体、３はこの本体２の前面に設けられたプロジェクションレンズ、４は本体２の前面に設けられたリモコン受信部、５は本体２の側面に設けられた電源スイッチ、６は本体２の上面に設けられた操作部である。リモコン受信部４は、図示しないリモコンからの信号を受信する。操作部６には、ボタンタイプのメニューキーや選択キー等の各種キーが設けられている。なお、リモコンにも、上記と同様のキーが設けられている。
【００１５】
図２は、プロジェクタ１の構成を示したブロック図である。プロジェクタ１は、ＤＬＰ（Digital Light Processing）方式を採用したプロジェクタである。１０は白色光を発する光源としてのランプである。１１は赤のカラーフィルタ１１ｒ、緑のカラーフィルタ１１ｇ、青のカラーフィルタ１１ｂ、白（無色透明）のカラーフィルタ１１ｗがそれぞれ１つずつ放射状に配列された透明の円板から成るカラーホイールである。赤、緑、青のカラーフィルタ１１ｒ、１１ｇ、１１ｂは、それぞれ各色の塗料を塗装して設けられている。白のカラーフィルタ１１ｗは、何の色も塗装せずに設けられている。カラーホイール１１は、ランプ１０から発せられた白色光を、カラーフィルタ１１ｒ、１１ｇ、１１ｂ、１１ｗのいずれかを透過させて、赤色光、緑色光、青色光、白色光に分離する。１２はライトトンネルとミラー等から成る光学系であって、カラーホイール１１で分離された各色光を導く。１３はＤＭＤ（Digital Micromirror Device）であって、光学系１２から照射される各色光より画像を形成する。ＤＭＤ１３は、前述のように、半導体メモリ上に集積された複数のマイクロミラー（図示省略）を有し、マイクロミラーの傾動方向に応じたＯＮ／ＯＦＦ状態により、該ミラーで反射された光の方向を切り替える。３は図１で示したプロジェクションレンズであって、ＤＭＤ１３から出射する画像光をスクリーン５０上に投影する。
【００１６】
７はＣＰＵやメモリ等から成る制御部であって、プロジェクタ１の各部の動作制御を行う。制御部７には、プロジェクタ１の各種設定を行うメニュー画像等の画像データが予め記憶されていて、該画像をＤＭＤ１３およびプロジェクションレンズ３等を介してスクリーン５０にオンスクリーン表示するためのＯＳＤ（On Screen Display）回路７ａが内蔵されている。９はパーソナルコンピュータやＤＶＤ（Digital Versatile Disk）プレーヤ等の外部機器と交信可能に接続するためのインタフェイスである。８は外部機器からインタフェイス９を介して入力された映像信号に対して所定の処理を行う回路から成る信号処理部である。１４はカラーホイール１１を回転させるために駆動するステッピングモータである。１５はカラーホイール１１の回転基準を検出するためのフォトセンサである。４は図１で示したリモコン受信部である。６は図１で示した操作部である。１６は発光ダイオード等から成る表示部である。１７は各部へ電源を供給するための電源部である。
【００１７】
外部機器からインタフェイス９を介して映像信号が入力されると、該映像信号が信号処理部８で処理されて、例えばＲＧＢ信号をビットプレーンフォーマットに変換した信号となり、制御部７へ出力される。そして、制御部７が信号処理部８から出力される上記信号に基づいて、ＤＭＤ１３の個々のマイクロミラーの動作状態をＯＮ／ＯＦＦに制御することで、ＤＭＤ１３に入力された映像信号に基づくカラー画像が形成される。また、制御部７がＯＳＤ回路７ａにより、予め記憶された画像データに基づいて、ＤＭＤ１３の個々のマイクロミラーの動作状態をＯＮ／ＯＦＦに制御することで、ＤＭＤ１３に各種設定を行うための画像が形成される。これらの際、制御部７によって、カラーホイール１１の回転とＤＭＤ１３の駆動の同期がとられる。そして、ＤＭＤ１３に形成された画像は、プロジェクションレンズ３で任意の大きさに拡大されて、スクリーン５０に投影され表示される。
【００１８】
図３は、プロジェクタ１のカラーホイール１１近傍の構造図である。（ａ）はカラーホイール１１等をランプ１０側（（ｂ）の左側）から見た状態を示し、（ｂ）はカラーホイール１１等を側方（（ａ）の右側）から見た状態を示している。１８はカラーホイール１１の中心に連結された軸である。１９は軸１８を回転可能に支持するフレームである。１４ａはステッピングモータ１４の回転軸である。２１は回転軸１４ａに連結されたピニオンギヤである。２０はカラーホイール１１の円周部に沿って設けられたラックギヤである。ステッピングモータ１４は、カラーホイール１１のランプ１０と反対側に、ピニオンギヤ２１とラックギヤ２０が噛み合うように配置されている。これにより、ステッピングモータ１４の駆動力がピニオンギヤ２１とラックギヤ２０によりカラーホイール１１の円周部に伝達されて、カラーホイール１１が軸１８を中心として（ａ）に示す矢印方向へ回転する。ピニオンギヤ２１の径を大きくするほど、カラーホイール１１を回転させるときのステッピングモータ１４のトルクが小さくてすむ。ステッピングモータ１４に代えて、ＤＣモータ等を用いてもよいが、後述するようにカラーホイール１１の回転速度を変化させるためには、ＤＣモータ等ではフィードバック制御を行う必要があるのに対し、ステッピングモータ１４では入力するパルスの周波数を変えるだけでよいのでフィードバック制御を行う必要が無い。
【００１９】
カラーホイール１１の白のカラーフィルタ１１ｗと赤のカラーフィルタ１１ｒの境界である回転基準には、反射マーク２２が設けられている。カラーホイール１１の周囲の所定位置には、フォトセンサ１５が設けられている。反射マーク２２とフォトセンサ１５が（ａ）に示すように対向すると、フォトセンサ１５から発した光が反射マーク２２で反射して、フォトセンサ１５へ入射するため、カラーホイール１１の回転基準が検出される。（ｂ）に示す１２ａは図２に示した光学系１２に含まれるライトトンネルであって、内面が鏡張りの角筒から成る。１０ａはランプ１０から発せられた光を反射してカラーホイール１１へ向けて直進させるリフレクタである。２３はランプ１０およびリフレクタ１０ａを保持するランプホルダである。ランプホルダ２３のカラーホイール１１側の面には、ライトトンネル１２ａと対向するように光の出射口２３ａが設けられている。ライトトンネル１２ａと出射口２３ａは、（ａ）に示すようにカラーホイール１１の中心にある軸１８およびフレーム１９より左側にずれた位置に配置されている。ランプ１０から発せられた光は、リフレクタ１０ａで集められて、出射口２３ａから出射し、カラーホイール１１の一部分（（ａ）に破線で示す出射口２３ａおよびライトトンネル１２ａと一直線で並ぶ位置）とライトトンネル１２ａを通過して、光学系１２に含まれる図示しないミラーで反射され、ＤＭＤ１３に照射される。その際、フォトセンサ１５の出力信号とステッピングモータ１４の駆動ステップ数により、カラーホイール１１の回転速度、ランプ１０の光が通過しているカラーホイール１１上の位置（カラーフィルタ１１ｒ、１１ｇ、１１ｂ、１１ｗのいずれかまたは各色の境界）が検出される。
【００２０】
図４は、メーカでの製造段階でプロジェクタ１がスクリーン５０にオンスクリーン表示する色調整画面３０を示す図である。この色調整画面３０は、プロジェクタ１をテストモードに切り替えて、プロジェクタ１からスクリーン５０に図示しないテスト画像を投影しているときに、前述の操作部６またはリモコンで所定のキー操作を行うことで表示される。プロジェクタ１のテストモードへの切り替えを、メーカの検査員や保守員は行えるが、一般ユーザは行えない。
【００２１】
色調整画面３０中には、スクリーン５０への投影画像の赤、緑、青、白の各色の調整値を数値および目盛で示す調整表示３１ｒ、３１ｇ、３１ｂ、３１ｗがそれぞれ設けられている。また、「登録」、「取消」の各ボタン３２ａ、３２ｂとカーソル３３がそれぞれ設けられている。操作部６またはリモコンで所定のキー操作を行うと、カーソル３３を移動させて、各調整表示３１ｒ、３１ｇ、３１ｂ、３１ｗまたは各ボタン３２ａ、３２ｂに合わせることができる。また、カーソル３３を調整表示３１ｒ、３１ｇ、３１ｂ、３１ｗの何れかに合わせた状態で、操作部６またはリモコンで所定のキー操作を行うと、該調整表示に対応する色の調整値を０〜１００の範囲で変えて設定することができる。調整値を大きくするに連れて、対応する色が強調される。
【００２２】
メーカの製造段階で行う色調整工程では、プロジェクタ１からスクリーン５０に投影するテスト画像の色（色温度等）をカラーアナライザ等の色測定器で測定し、該測定値が予め設定された規格値に一致するように、色調整画面３０で各色の調整値を設定する。図４では、赤の調整値を「５２」、緑の調整値を「５０」、青の調整値を「５１」、白の調整値を「５５」にそれぞれ設定している。設定後、操作部６またはリモコンで所定のキー操作を行うと、カーソル３３を「登録」ボタン３２ａに合わせて、該ボタン３２ａをＯＮし、各色の調整値を調整基準値として登録することができる。また、カーソル３３を「取消」ボタン３２ｂに合わせて、該ボタン３２ｂをＯＮし、色調整画面３０の表示を消して、調整値の設定を終了することができる。
【００２３】
図５は、メーカでの製造段階でプロジェクタ１の投影画像の色を調整する手順を示すフローチャートである。本手順は、上述したようにプロジェクタ１をテストモードに切り替えると、前述の制御部７が実行を開始する。上述したように色調整画面３０でスクリーン５０への投影画像の各色の調整値を設定して、「登録」ボタン３２ａをＯＮすると、各色の調整値が入力される（ステップＳ１）。すると、制御部７は、入力された各色の調整値に基づいて、ランプ１０からの光がカラーホイール１１の各色のカラーフィルタ１１ｒ、１１ｇ、１１ｂ、１１ｗをそれぞれ通過するときの時間を各色別に設定する（ステップＳ２）。このとき、調整値が大きくなるに連れて、上記の光通過時間が長く設定され、調整値が小さくなるに連れて、光通過時間が短く設定される。
【００２４】
次に、制御部７は、設定した光通過時間に基づいて、各色光通過時のカラーホイール１１の回転速度を各色別に設定する（ステップＳ３）。このとき、光通過時間が長くなるに連れて、カラーホイール１１の回転速度が遅く設定され、光通過時間が短くなるに連れて、カラーホイール１１の回転速度が速く設定される。さらに、制御部７は、設定したカラーホイール１１の回転速度に基づいて、各色光通過時のステッピングモータ１４の回転速度（ステッピングモータ１４に入力するパルスの周波数）を各色別に設定する（ステップＳ４）。このとき、カラーホイール１１の回転速度が遅くなるに連れて、ステッピングモータ１４の回転速度も遅く（入力パルスの周波数が低く）設定され、カラーホイール１１の回転速度が速くなるに連れて、ステッピングモータ１４の回転速度も速く（入力パルスの周波数が高く）設定される。そして、制御部７は、入力された各色の調整値を、設定したステッピングモータ１４の各色別の回転速度と関連付けて、調整基準値として登録する（ステップＳ５）。詳しくは、各色の調整値とステッピングモータ１４の各色別の回転速度を示す基準の色調整データを生成して、制御部７のメモリに記憶させる。
【００２５】
図６は、ユーザによる使用時にプロジェクタ１がスクリーン５０にオンスクリーン表示する色調整画面４０を示す図である。この色調整画面４０は、プロジェクタ１からスクリーン５０に画像を投影しているときに、操作部６またはリモコンで所定のキー操作を行うことで表示される。色調整画面４０中には、投影画像の赤、緑、青、白の各色の調整値を基準「base」に対する増減率および増減幅で示す調整表示４１ｒ、４１ｇ、４１ｂ、４１ｗがそれぞれ設けられている。基準「base」は、上述したようにメーカでの製造段階で登録された各色の調整基準値に相当する。つまり、図６では、各色の基準「base」を全て「０％」として示しているが、図４に示した例では、赤の調整基準値が「５２」、緑の調整基準値が「５０」、青の調整基準値が「５１」、白の調整基準値が「５５」であり、全色で調整基準値は異なっている。
【００２６】
また、色調整画面４０中には、「決定」、「取消」、「登録」、「読込」の各ボタン４２ａ、４２ｂ、４２ｃ、４２ｄとカーソル４３がそれぞれ設けられている。操作部６またはリモコンで所定のキー操作を行うと、カーソル４３を移動させて、各調整表示４１ｒ、４１ｇ、４１ｂ、４１ｗまたは各ボタン４２ａ、４２ｂ、４２ｃ、４２ｄに合わせることができる。また、カーソル４３を調整表示４１ｒ、４１ｇ、４１ｂ、４１ｗの何れかに合わせた状態で、操作部６またはリモコンで所定のキー操作を行うと、該調整表示に対応する色の調整値を変えて設定することができる。調整値を大きく（「＋」側に大きく）するに連れて、対応する色が強調される。
【００２７】
ユーザ使用時では、一般にプロジェクタ１からスクリーン５０に投影する画像の色を目視等で確認しながら、好みの色になるように、色調整画面４０で各色の調整値を設定する。例えばプロジェクタ１を用いてプレゼンテーションを行うために、投影画像の白を強調し、赤をやや鮮明にしたい場合は、図６に示すように基準「０％」に対して、赤の調整値を「＋１０％」上げ、緑の調整値を「−１０％」下げ、青の調整値を基準「０％」のままにし、白の調整値を「＋１０％」上げてそれぞれ設定する。設定後、操作部６またはリモコンで所定のキー操作を行うと、カーソル４３を「決定」ボタン４２ａに合わせて、該ボタン４２ａをＯＮし、各色の調整値を入力することができる。また、カーソル４３を「取消」ボタン４２ｂに合わせて、該ボタン４２ｂをＯＮし、色調整画面４０の表示を消して、調整値の設定を終了することができる。また、カーソル４３を「登録」ボタン４２ｃに合わせて、該ボタン４２ｃをＯＮし、各色の調整値をユーザ独自の調整値として登録することができる。さらに、カーソル４３を「読込」ボタン４２ｄに合わせて、該ボタン４２ｄをＯＮし、登録されている調整値を読み込むための画面をスクリーン５０にオンスクリーン表示させることができる。
【００２８】
図７は、「読込」ボタン４２ｄがＯＮされたときにスクリーン５０に表示される登録一覧画面４４を示す図である。登録一覧画面４４中には、登録された各色の調整値を示す色調整データ名が一覧表示されている。「standard」は、上述したようにメーカでの製造段階で登録された各色の調整基準値を示す色調整データの名称である。この色調整データをユーザは変更できない。「user mode1」〜「user mode3」は、上述したようにユーザ使用時に登録された各色の調整値を示す色調整データの名称である。これらの色調整データをユーザは変更できる。また、登録一覧画面４４中には、「決定」、「取消」の各ボタン４５ａ、４５ｂとカーソル４６がそれぞれ設けられている。操作部６またはリモコンで所定のキー操作を行うと、カーソル４６を移動させて、各色調整データ名または各ボタン４５ａ、４５ｂに合わせることができる。また、カーソル４６を色調整データ名の何れかに合わせた状態で、操作部６またはリモコンで所定のキー操作を行うと、該色調整データ名が他と異なる形態で表示されて選択された状態になる。さらに、該選択状態でカーソル４６を「決定」ボタン４５ａに合わせて、該ボタン４５ａをＯＮし、該選択された色調整データの示す各色の調整値を読み込んで、該各色の調整値を示すように図６の色調整画面４０の各調整表示４１ｒ、４１ｇ、４１ｂ、４１ｗを変えることができる。また、カーソル４６を「取消」ボタン４５ｂに合わせて、該ボタン４５ｂをＯＮし、登録一覧画面４４の表示を消すことができる。
【００２９】
図８は、ユーザ使用時にプロジェクタ１の投影画像の色を調整する手順を示すフローチャートである。本手順は、プロジェクタ１の起動時に、制御部７が実行を開始する。上述したように色調整画面４０でスクリーン５０への投影画像の各色の調整値を設定して、「決定」ボタン４２ａをＯＮすると、各色の調整値が入力される（ステップＳ１１）。なお、「登録」ボタン４２ｃをＯＮしたときも、各色の調整値は入力されるが、この場合の登録手順は、図５で示した手順と同様なので、説明を省略する。各色の調整値が入力されると、制御部７は、入力された各色の調整値に基づいて、ランプ１０からの光がカラーホイール１１の各色のカラーフィルタ１１ｒ、１１ｇ、１１ｂ、１１ｗをそれぞれ通過するときの時間を各色別に設定する（ステップＳ１２）。このとき、調整値が大きくなるに連れて、上記の光通過時間が長く設定され、調整値が小さくなるに連れて、光通過時間が短く設定される。図４および図６に示した例では、白、赤、青、緑の順に光通過時間が長く設定される。
【００３０】
次に、制御部７は、設定した光通過時間に基づいて、各色光通過時のカラーホイール１１の回転速度を各色別に設定する（ステップＳ１３）。このとき、光通過時間が長くなるに連れて、カラーホイール１１の回転速度が遅く設定され、光通過時間が短くなるに連れて、カラーホイール１１の回転速度が速く設定される。図４および図６に示した例では、白、赤、青、緑の順にカラーホイール１１の回転速度が遅く設定される。さらに、制御部７は、設定したカラーホイール１１の回転速度に基づいて、各色光通過時のステッピングモータ１４の回転速度（ステッピングモータ１４に入力するパルスの周波数）を各色別に設定する（ステップＳ１４）。このとき、カラーホイール１１の回転速度が遅くなるに連れて、ステッピングモータ１４の回転速度も遅く（入力パルスの周波数が低く）設定され、カラーホイール１１の回転速度が速くなるに連れて、ステッピングモータ１４の回転速度も速く（入力パルスの周波数が高く）設定される。図４および図６に示した例では、白、赤、青、緑の順にステッピングモータ１４の回転速度が遅く設定される。そして、制御部７は、設定したステッピングモータ１４の各色別の回転速度をメモリに記憶して、該回転速度で駆動するようにステッピングモータ１４の回転を制御する（ステップＳ１５）。
【００３１】
以上のようにすると、入力された色の調整値に基づいてカラーホイール１１の回転速度を各色別に変化させることにより、カラーホイール１１からＤＭＤ１３へ入射する各色光の光量が調節されるので、カラーホイール１１やＤＭＤ１３へ入射されない光量が少なくなり、カラーホイール１１を回転させるステッピングモータ１４以外の移動機構や駆動源を設ける必要がなく、ランプ１０の光を有効活用しつつコストをかけずに、投影画像の色を調整することができる。
【００３２】
しかも、ギヤ２０、２１によりステッピングモータ１４の駆動力をカラーホイール１１の円周部に伝達して、カラーホイール１１を回転させるので、カラーホイール１１の回転速度を各色別に微細かつ容易に変化させて、投影画像の色を微調整することができる。また、フィードバック制御のような複雑な制御を行う必要の無いトルクの小さなステッピングモータ１４と、径の小さなカラーホイール１１を用いて、コストを一層削減することができる。
【００３３】
よって、ランプ１０やカラーホイール１１の各カラーフィルタ１１ｒ、１１ｇ、１１ｂ、１１ｗの特性のばらつきによる、プロジェクタ１毎の投影画像の色のばらつきを確実に抑えることが可能となる。また、プロジェクタ１の使用目的や周囲の明るさや色に応じて、投影画像の色を微調整することも可能となる。さらに、カラーホイール１１の回転速度を各色別に変化させて、投影画像の色を調整するので、例えば白を強調したいビジネス向けのタイプや、白を抑えて赤を鮮明にしたい一般家庭向けのタイプ等のようにプロジェクタ１のタイプ（機種）が異なっても、同一仕様のカラーホイール１１等を用いて、部品の共通化を図り、コストを一層削減することができる。
【００３４】
本発明は、以上の実施形態以外にも種々の形態を採用することができる。例えば、以上の実施形態では、赤、緑、青、白のカラーフィルタ１１ｒ、１１ｇ、１１ｂ、１１ｗが１つずつ放射状に配列されたカラーホイール１１を用いた例を挙げたが、本発明はこれのみに限定するものではなく、これに代えて、例えば赤、緑、青のカラーフィルタが配列され、白のカラーフィルタが省略されているカラーホイールや、赤、緑、青のカラーフィルタが２組放射状に配列されたカラーホイール等を用いてもよい。
【００３５】
また、以上の実施形態では、ステッピングモータ１４の駆動力をカラーホイール１１の円周部に伝達する手段として、ラックギヤ２０とピニオンギヤ２１を用いた例を挙げたが、本発明はこれのみに限定するものではなく、これに代えて、例えば３つ以上のギヤや、ベルトとプーリ等を用いてもよい。
【００３６】
さらに、以上の実施形態では、本発明をプロジェクタ１に適用した例を挙げているが、本発明はこれ以外にも、例えばリアプロジェクションテレビ等の投影装置に適用することが可能である。
【図面の簡単な説明】
【００３７】
【図１】プロジェクタの外観図である。
【図２】プロジェクタの構成を示したブロック図である。
【図３】プロジェクタのカラーホイール近傍の構造図である。
【図４】製造段階でプロジェクタが表示する色調整画面を示す図である。
【図５】製造段階でプロジェクタの投影画像の色を調整する手順を示すフローチャートである。
【図６】ユーザ使用時にプロジェクタが表示する色調整画面を示す図である。
【図７】ユーザ使用時にプロジェクタが表示する登録一覧画面を示す図である。
【図８】ユーザ使用時にプロジェクタの投影画像の色を調整する手順を示すフローチャートである。
【符号の説明】
【００３８】
１  プロジェクタ
６  操作部
７  制御部
１０  ランプ
１１  カラーホイール
１１ｂ  青のカラーフィルタ
１１ｇ  緑のカラーフィルタ
１１ｒ  赤のカラーフィルタ
１１ｗ  白のカラーフィルタ
１３  ＤＭＤ
１４  ステッピングモータ
１４ａ  回転軸
２０  ラックギヤ
２１  ピニオンギヤ
３０  色調整画面
４０  色調整画面
５０  スクリーン
【図１】
2007248754.tif 000003
【図２】
2007248754.tif 000004
【図３】
2007248754.tif 000005
【図４】
2007248754.tif 000006
【図５】
2007248754.tif 000007
【図６】
2007248754.tif 000008
【図７】
2007248754.tif 000009
【図８】
2007248754.tif 000010